(57)【要約】  本発明の課題は、使用済みクーラント液から磁性体を除去するクーラント処理装置において、回転ドラムの停止によるクーラント液のオーバーフロー等の問題を未然に防止することである。  上記課題を解決するために、使用済みクーラント液から磁性体を除去するクーラント処理装置であって、複数の磁石を配置した回転ドラムと、前記回転ドラムの回転異常を検知する回転検知器と、を備えたことを特徴とする、クーラント処理装置を提供する。
2019073662.tif 000002
【特許請求の範囲】
【請求項１】
使用済みクーラント液から磁性体を除去するクーラント処理装置であって、
複数の磁石を配置した回転ドラムと、前記回転ドラムの回転異常を検知する回転検知器と、を備えたことを特徴とする、クーラント処理装置。
【請求項２】
前記クーラント処理装置は、前記回転ドラムを内側に収容する本体を備え、
前記回転検知器は、前記本体の外側に設置することを特徴とする、請求項１に記載のクーラント処理装置。
【請求項３】
前記クーラント処理装置は、前記回転ドラムと従動回転する従動回転体を備え、
前記回転検知器は、前記従動回転体の回転異常を検知することにより前記回転ドラムの回転異常を検知することを特徴とする、請求項１又は２に記載のクーラント処理装置。
【請求項４】
前記クーラント処理装置は、前記回転ドラムと従動回転する絞りローラを備え、
前記回転検知器は、前記絞りローラの回転異常を検知することにより前記回転ドラムの回転異常を検知することを特徴とする、請求項１又は２に記載のクーラント処理装置。
【請求項５】
前記クーラント処理装置は、前記本体に流入するクーラント液の流入量を調整する流入量調整手段を備え、
前記流入量調整手段は、前記回転検知器により検知された前記回転ドラムの回転異常に応じて流入量を制御することを特徴とする、請求項１〜４のいずれか一項に記載のクーラント処理装置。
【請求項６】
前記クーラント処理装置は、前記本体にクーラント液を供給するための供給流路と、前記供給流路から分岐し、前記本体へのクーラント液の供給を回避するための回避流路と、前記供給流路及び前記回避流路の切換えを行う切換え弁と、を備え、
前記切換え弁は、前記回転検知器により検知された前記回転ドラムの回転異常に応じて流路を切換えることを特徴とする、請求項１〜５のいずれか一項に記載のクーラント処理装置。
【請求項７】
前記クーラント処理装置は、前記回転検知器から得られたデータを、２以上のデータ区分に区別し、各データ区分に応じた処理を実行する制御部を備えたことを特徴とする、請求項１〜６のいずれか一項に記載のクーラント処理装置。
【発明の詳細な説明】
【技術分野】
【０００１】
本発明は、使用済みクーラント液に含まれる金属成分等の磁性体を除去するためのクーラント処理装置に関する。
【背景技術】
【０００２】
金属加工機械としては磁性金属を被切削材とする加工機械があり、このような金属加工機械にはクーラント液（冷却液）が使用される。使用されたクーラント液は、切削屑を含有するクーラント液として回収される。回収された使用済みクーラント液は、切削屑を分離することで再利用される。クーラント液から切削屑を分離する装置としては、磁石により磁性体である切削屑等を分離するクーラント処理装置が知られている。例えば、特許文献１には、複数の磁石を配置した回転ドラムを備え、使用済みクーラント液中の切削屑等を分離する回転ドラム型磁気分離装置が記載されている。回転ドラム型磁気分離装置では、回転ドラムと回転ドラムに沿って配置された底板の間を使用済みクーラント液が通過することにより、回転ドラムの磁力が作用して切削屑を分離又は回収する。また、回転ドラムの両端にはスプロケットが設けられており、モータの回転を伝達する。
【先行技術文献】
【特許文献】
【０００３】
【特許文献１】特開２０１３−１８４２４１号公報
【発明の概要】
【発明が解決しようとする課題】
【０００４】
回転ドラムのスプロケットが欠損する等のトラブルが生じると、回転ドラムの回転が停止したり、回転不良を生じたりする場合がある。回転ドラムが停止した状態でクーラント処理装置にクーラント液が供給されると、回転ドラムと底板の間に磁性体が堆積して、クーラント液の流れが停止する。クーラント液をクーラント処理装置に供給し続けると、クーラント処理装置の排出部からクーラント液が排出されず、クーラント処理装置の本体の上端からオーバーフローする等の問題が生じる。クーラント液のオーバーフローが発生すると、クーラント処理装置の内部や周囲を汚染するため、清掃作業に多大な労力を要する。【０００５】
そこで、本発明の課題は、使用済みクーラント液から磁性体を除去するクーラント処理装置において、回転ドラムの停止によるクーラント液のオーバーフロー等の問題を未然に防止することである。
【課題を解決するための手段】
【０００６】
上記の課題について鋭意検討した結果、本発明者は、使用済みクーラント液から磁性体を除去するクーラント処理装置において、回転ドラムの回転異常を検知することにより、回転ドラムの異常停止を直ちに発見し、クーラント液がオーバーフローする等の問題の発生を未然に防止できることを見出して、本発明を完成した。
すなわち、本発明は、以下のクーラント処理装置である。【０００７】
上記課題を解決するための本発明のクーラント処理装置は、使用済みクーラント液から磁性体を除去するクーラント処理装置であって、複数の磁石を配置した回転ドラムと、前記回転ドラムの回転異常を検知する回転検知器と、を備えたことを特徴とする。
このクーラント処理装置によれば、回転ドラムの回転異常を検知する回転検知器を備えるため、回転ドラムの異常停止を直ちに発見することができる。よって、クーラント液のオーバーフロー等の問題の発生を未然に防ぐことができる。【０００８】
本発明のクーラント処理装置の一実施態様としては、クーラント処理装置は、回転ドラムを内側に収容する本体を備え、回転検知器は、本体の外側に設置するという特徴を有する。
この特徴によれば、回転検知器がクーラント処理装置の本体の外側に配置されているため、クーラント液による回転検知器への汚染が防止され、回転異常を正確に検知することができる。【０００９】
本発明のクーラント処理装置の一実施態様としては、クーラント処理装置は、回転ドラムと従動回転する従動回転体を備え、回転検知器は、従動回転体の回転異常を検知することにより回転ドラムの回転異常を検知するという特徴を有する。
この特徴によれば、回転検知器は、従動回転体の回転異常を検知し、間接的に回転ドラムの回転異常を検知する。クーラント処理装置の運転時には、回転ドラムは、下側略半分をクーラント液に浸した状態となる。そのため、回転ドラムに回転検知器を設置すると、クーラント液により回転検知器が汚染する恐れがある。そこで、従動回転体を汚染し難い位置に設置し、間接的に回転ドラムの回転異常を検知することにより、クーラント液による回転検知器への汚染が防止され、回転異常を正確に検知することができる。【００１０】
本発明のクーラント処理装置の一実施態様としては、クーラント処理装置は、回転ドラムと従動回転する絞りローラを備え、回転検知器は、絞りローラの回転異常を検知することにより回転ドラムの回転異常を検知するという特徴を有する。
この特徴によれば、回転検知器は、絞りローラの回転異常を検知し、間接的に回転ドラムの回転異常を検知する。クーラント処理装置の運転時には、回転ドラムは、下側略半分をクーラント液に浸した状態となる。一方、絞りローラは、クーラント液の液面より上部に設置される。よって、回転検知器が絞りローラの回転異常を検知し、間接的に回転ドラムの回転異常を検知することにより、クーラント液による回転検知器への汚染が防止され、回転異常を正確に検知することができる。【００１１】
本発明のクーラント処理装置の一実施態様としては、クーラント処理装置は、本体に流入するクーラント液の流入量を調整する流入量調整手段を備え、流入量調整手段は、回転検知器により検知された回転ドラムの回転異常に応じて流入量を制御するという特徴を有する。
この特徴によれば、回転ドラムの回転が停止した場合に、直ちに本体に流入するクーラント液の流入量を低下又は停止させることができる。そのため、クーラント液のオーバーフロー等を防止することができる。
また、回転ドラムの回転異常として回転数が低下した場合に、クーラント処理装置が磁性体を除去する作用が低下する。しかし、本体に流入するクーラント液の流入量を低下することにより、クーラント液が時間をかけて回転ドラムと底板の間を通過するため、クーラント液から磁性体を十分に除去することができる。【００１２】
本発明のクーラント処理装置の一実施態様としては、クーラント処理装置は、本体にクーラント液を供給するための供給流路と、供給流路から分岐し、本体へのクーラント液の供給を回避するための回避流路と、供給流路及び回避流路の切換えを行う切換え弁と、を備え、切換え弁は、回転検知器により検知された回転ドラムの回転異常に応じて流路を切換えるという特徴を有する。
この特徴によれば、クーラント液の通過する流路を供給流路から回避流路に切換える切換え弁を備えるため、簡単な操作で素早く本体へのクーラント液の供給を停止することができる。また、回避流路により本体への供給を回避したクーラント液を、ろ過処理等の他の磁性体除去装置に供給することにより、クーラント液処理システム全体の運転を停止せずに、クーラント液のオーバーフロー等を防止することができる。【００１３】
本発明のクーラント処理装置の一実施態様としては、クーラント処理装置は、回転検知器から得られたデータを、２以上のデータ区分に区別し、各データ区分に応じた処理を実行する制御部を備えるという特徴を有する。
この特徴によれば、例えば、回転検知器から検知された回転異常のデータを、回転ドラムの回転数が低下した状態を示すデータ区分と、回転ドラムが停止した状態を示すデータ区分に分け、回転数が低下した状態のデータ区分では、本体に流入する使用済みクーラント液の流入量を低下するように制御し、回転が停止した状態のデータ区分では、本体への使用済みクーラント液の供給を停止するなど、各データ区分に応じた処理を実行することができる。これにより、クーラント液のオーバーフロー等の問題を防止しつつ、クーラント処理装置の運転を可能な限り継続することができる。
【発明の効果】
【００１４】
本発明によれば、使用済みクーラント液から磁性体を除去するクーラント処理装置において、回転ドラムの停止によるクーラント液のオーバーフロー等の問題を未然に防止することができる。
【図面の簡単な説明】
【００１５】
【図１】本発明の第一の実施態様のクーラント処理装置の内部の構造を示す概略説明図である。
【図２】本発明の第一の実施態様のクーラント処理装置の外部の構造を示す概略説明図である。
【図３】本発明の第一の実施態様のクーラント処理装置の回転検知器の構造を説明する概略説明図である。なお、図３は、図２の一点鎖線Ａ−Ａにおける断面図を黒矢印方向から見た図である。
【図４】本発明の第一の実施態様のクーラント処理装置の制御部による制御の一例を説明するフローチャート図である。
【図５】本発明の第一の実施態様のクーラント処理装置を備えたクーラント液処理システムの構造を示す概略説明図である。
【図６】本発明の第二の実施態様のクーラント処理装置の外部の構造を示す概略説明図である。
【図７】本発明の第二の実施態様のクーラント処理装置の回転検知器の構造を説明する概略説明図である。なお、図７は、図６の一点鎖線Ｂ−Ｂにおける断面図を黒矢印方向から見た図である。
【発明を実施するための形態】
【００１６】
クーラント液は、磁性金属を被切削材とする金属切削加工機械等に供給される冷却液である。クーラント液は、金属切削加工機械等の冷却液として使用すると、磁性スラッジ等の磁性体を含む使用済みクーラント液として排出される。本発明のクーラント処理装置は、使用済みクーラント液に含有する磁性スラッジ等の磁性体を磁力によって回収するものである。使用済みクーラント液としては、磁性体を含む液体であれば、特に制限されず、油性の液体でも、水溶性の液体でもよい。
【００１７】
以下に、この発明の実施形態を、添付図面を参照して詳細に説明する。
〔第一の実施態様〕
図１には、本発明の第一の実施態様のクーラント処理装置１００の内部の構造を示す。本発明のクーラント処理装置１００は、矩形状の筐体からなる本体１と、本体１の幅方向（図１の紙面垂直方向）にわたって懸架された回転ドラム２と、回転ドラム２と当接して回転する絞りローラ８を備えている。本体１には、本体１の内部に磁性スラッジ（磁性体）を含むクーラント液を流入する流入部５と、磁性スラッジが除去された処理液を排出する処理液排出部６ａと、磁性スラッジを排出する磁性体排出部６ｂを備えている。なお、回転ドラム２は、流入部５と処理液排出部６ａの間に配置されている。
【００１８】
本体１の下部には、回転ドラム２の形状に沿って形成された底板１ａが設けられ、クーラント液を貯留する液溜め部１ｂが形成されている。ポンプ等により本体１へ供給されたクーラント液は、流入部５から流入し、液溜め部１ｂに一時的に貯留された後、回転ドラム２と底板１ａの間を通過する。回転ドラム２と底板１ａの間を通過する際に、回転ドラム２の磁束によりクーラント液に含まれる磁性スラッジが回転ドラム２に付着する。回転ドラム２により磁性スラッジが除去された処理液は、底板１ａを越流して、処理液排出部６ａから排出される。
【００１９】
また、本体１の内部には、流入部５と離間して整流壁９が設置されている。整流壁９は、本体１の天面から吊り下げられた板材からなり、その下端は、液溜め部１ｂに貯留されたクーラント液の液面下に位置する。流入したクーラント液は、整流壁９と底板１ａの間を通過する際に流速が高まるため、整流壁９は、液溜め部１ｂの底部への磁性スラッジの堆積を抑制するという効果を奏する。
【００２０】
＜回転ドラム＞
回転ドラム２は、磁性スラッジを磁着してクーラント液から分離するものである。回転ドラム２は、クーラント液の流れに対して略直交する方向に、略水平に軸支されている。また、回転ドラム２は、下側略半分をクーラント液の液面下に浸し、上側略半分は液面から出るように設置されている。
【００２１】
回転ドラム２は、内筒２ａと外筒２ｂの二つの円筒体を備え、内筒２ａの外周には複数の磁石３が固定されている。複数の磁石３は、外筒２ｂの外周面に所定の磁力を作用させて外筒２ｂの外周面に磁性スラッジを磁着させることができる。なお、二つの円筒体は、ステンレス鋼等の非磁性材で形成されており、円筒体からは磁力が発生しない。
【００２２】
回転ドラム２は、内筒２ａの外周に固定された磁石３の配置により、外筒２ｂの外周面に磁力を作用させる範囲を設定することができる。外筒２ｂの外周面に磁力を作用させる範囲は、回転ドラム２の外径や、スクレーパ７の位置等によって適宜設計する。図１に示すように、第一の実施態様のクーラント処理装置１００では、内筒２ａの外周面の略３／４の範囲に磁石が配置されている。すなわち、回転ドラム２の液溜め部１ｂに浸漬する部分から頂上部までの外筒２ｂの外周面の略３／４の範囲に磁力を作用させている。また、内筒２ａの外周面の残りの略１／４には、磁石を配置せず、外筒２ｂの外周面の残りの略１／４（スクレーパ７の近傍）に磁力を作用させていない。
【００２３】
次に、図３を参照して、回転ドラム２の本体１への固定手段について説明する。なお、図３において、回転ドラム２の領域については、図２の一点鎖線Ａ−Ａにおける断面図ではなく、回転ドラム２の断面図を示した。図３に示すように、回転ドラム２は、中心軸としてドラム軸２ｃを備え、ドラム軸２ｃは、本体１の内壁から突設した台座１ｃにボルト等の固定部材により固定されている。
【００２４】
内筒２ａ（図３では、内筒２ａ及び磁石３の表示は省略。）は、ドラム軸２ｃに直接的に固定されている。一方、外筒２ｂは、その両端に端円盤２ｆが固定されており、端円盤２ｆの中心には、ボールベアリング等の軸受２ｄを備えている。そして、外筒２ｂは、この軸受２ｄを介してドラム軸２ｃに設置される。
【００２５】
また、一方の端円盤２ｆ（図３に図示する端円盤とは反対側の端円盤。図示しない。）の外側（本体１の側壁側）には、モータ４の駆動力を伝達する駆動スプロケットが固定されており、他方の端円盤２ｆ（図３に図示する端円盤）の外側（本体１の側壁１ｄ側）には、モータ４の動力を絞りローラ８に伝達する従動スプロケット２ｅが固定されている。
【００２６】
駆動スプロケット（図示しない。）は、モータ４とチェーンを介して連結されており、モータ４の駆動力が、チェーン、駆動スプロケット、端円盤を介して、回転ドラム２の外筒２ｂに伝達する。これにより、回転ドラム２の外筒２ｂが回転する。なお、外筒２ｂの回転方向は、下方を通過するクーラント液の流れと逆方向（図１の紙面から見て反時計回り）である。
従動スプロケット２ｅは、絞りローラ８のローラ側スプロケット８ｂ（図３参照。）とチェーン１８を介して連結されており、モータ４の動力を、回転ドラム２の外筒２ｂ、端円盤２ｆ、従動スプロケット２ｅ、チェーン１８を介して絞りローラ８に伝達する。
【００２７】
なお、第一の実施態様では、一つの回転ドラム２を備えたクーラント処理装置を例示したが、本発明のクーラント処理装置は、複数の回転ドラムを備えたものでもよい。また、外筒を固定し、内筒を回転させるタイプの回転ドラムでもよい。
【００２８】
＜絞りローラ＞
回転ドラム２の頂上部近傍には、回転ドラム２に磁着した磁性スラッジから液分を搾り取るための絞りローラ８が設置されている。図３に示すように、絞りローラ８は、ローラ軸８ａと、ローラ軸８ａに固定されたローラ側スプロケット８ｂ及びローラ本体８ｃを備える。また、ローラ軸８ａの一端は、本体１の外側まで延在し、先端に回転検知器１０を構成する回転子１０ｂが固定されている。
【００２９】
ローラ側スプロケット８ｂは、上述したとおり、回転ドラム２の端円盤２ｆに固定された従動スプロケット２ｅとチェーン１８を介して連結される。これにより、絞りローラ８は、回転ドラム２と連動して回転する。
【００３０】
ローラ本体８ｃは、外周面にゴム等の弾性体を表面に配してあり、所定の押圧で回転ドラム２の外筒２ｂの外周面に当接されている。ローラ本体８ｃの表面に配した弾性体としては、ＣＲ（クロロプレン）系ゴム、ＮＢＲ（ニトリル）系ゴム等の弾性体が主流であるが、例えば、ポリエステルポリオールを主成分とした未架橋のポリウレタン材を用いてもよい。
【００３１】
＜スクレーパ＞
回転ドラム２の頂上部近傍には、絞りローラ８により液分を絞り取られた磁性スラッジを回転ドラム２から掻き取るためのスクレーパ７が設置されている（図１参照。）。スクレーパ７は、磁力の作用しない領域に設置され、回転ドラム２の外筒２ｂの外周面に当接している。
【００３２】
次に、回転ドラム２の作動について説明する。クーラント液に浸漬している回転ドラム２の外周面には、磁力の作用によって磁性スラッジが付着する。ここで、回転ドラム２の外筒２ｂを回転すると、磁性スラッジは、回転ドラム２の外周面に磁着しつつ、外筒２ｂの外周面との摩擦力によって外筒２ｂの回転方向に移動する。そして、回転ドラム２の外周面と絞りローラ８との間を磁着された磁性スラッジが通過することにより、磁性スラッジの液分が絞り取られるため、液分の少ない磁性スラッジを分離回収することができる。次いで、液分を絞り取られた磁性スラッジは、磁力の作用しない位置に移動し、スクレーパ７により、回転ドラム２の外周面から掻き取られる。掻き取られた磁性スラッジＳは、磁性体排出部６ｂから排出される。
【００３３】
＜回転検知器＞
回転検知器１０は、回転ドラム２の回転異常を検知するものである。回転ドラム２は、スプロケットが欠損する等のトラブルによって、モータ４の回転による駆動力がうまく伝達できず、回転ドラム２の外筒２ｂの回転が停止したり、回転不良を生じたりする（回転異常になる）場合がある。回転ドラム２が停止した状態でクーラント処理装置１００にクーラント液が供給されると、回転ドラム２と底板１ａの間に磁性スラッジが堆積して、クーラント液の流れが停止する。クーラント液をクーラント処理装置１００に供給し続けると、クーラント処理装置１００の処理液排出部６ａからクーラント液が排出されず、クーラント処理装置１００の本体１の上端からオーバーフローする等の問題が生じる。本発明のクーラント処理装置１００は、回転検知器１０を設けることにより、回転ドラムの異常停止を直ちに発見し、クーラント液がオーバーフローする等の問題を生じる前に対処することができる。
【００３４】
図２に示すように、回転検知器１０は、本体１の外側に設置されている。また、図３に示すように、回転検知器１０は、絞りローラ８のローラ軸８ａの先端に固定された回転子１０ｂと、回転子１０ｂの近傍に設置された近接スイッチ１０ａを備える。
【００３５】
回転子１０ｂは、矩形の板状部材であり、ローラ軸８ａの回転と共に回転する。近接スイッチ１０ａは、回転子１０ｂとの距離を検知する装置である。回転子１０ｂが一定の回転数で回転すると、近接スイッチ１０ａと回転子１０ｂとの距離が一定のリズムで変動するため、安定した回転数であることを認識することができる。一方、回転子１０ｂの回転数に異常が生じると、一定のリズムで変動する近接スイッチ１０ａと回転子１０ｂとの距離が不規則に変動する。この不規則な変動から絞りローラ８の回転異常を検知することができる。また、絞りローラ８は、ローラ側スプロケット８ｂを介して回転ドラム２の外筒２ｂの回転と連動しているため、絞りローラ８の回転異常を検知することにより、回転ドラム２の回転異常が発生していると判断することができる。なお、近接スイッチ１０ａにより検出されたデータは、コンピュータ等の制御部に送信される。
【００３６】
回転検知器１０は、回転ドラム２の回転異常を検知することができれば、どのような装置でもよい。第一の実施態様の近接スイッチのように、回転子との距離を検知するもの以外にも、例えば、絞りローラ８や回転ドラム２の外周面やスプロケット等に反射体や磁石を付し、光学検知センサや磁気センサ等で反射体や磁石を検知する手段や、モータ４の回転数をインバータ制御し、インバータの電流値の変動により回転異常の検知する手段等が挙げられる。モータ４が正常に回転している場合でも、スプロケットが欠損等している場合には、回転ドラム２が正常に回転していないことがあるため、回転ドラム２又は回転ドラム２の回転と同期して回転する回転体の回転異常を検知することが好ましい。
【００３７】
また、回転検知器１０を設置する位置は、どのような位置でもよい。第一の実施態様では、本体１の外側に設置されているが、本体１の内側に回転検知器１０を設置してもよい。本体１の外側に配置することにより、クーラント液による回転検知器１０への汚染が防止され、回転異常を正確に検知することができる。
【００３８】
本体１の外側に回転検知器１０を配置する場合、回転検知器１０を設置するためのスペースを最小化するためには、回転軸のみを延設することが好ましい。第一の実施態様のクーラント処理装置１００では、回転ドラム２のドラム軸２ｃは固定軸であるため、絞りローラ８のローラ軸８ａを延設し、絞りローラ８の回転異常を検知することにより、間接的に回転ドラム２の回転異常を検知する。また、絞りローラ８は、クーラント液の液面より上部に設置されているため、クーラント液による回転検知器１０の汚染が抑制されるという効果もある。
なお、回転ドラム２の回転異常の検知は、第一の実施態様のように、間接的に回転異常を検知してもよいし、回転ドラム２に回転検知器１０を設けて直接的に回転ドラム２の回転異常を直接検知してもよい。
【００３９】
＜制御部＞
本発明のクーラント処理装置１００は、回転検知器１０において回転ドラム２の回転異常を検知した場合に、クーラント液がオーバーフローする等の問題を生じないように自動制御する制御部を設けることが好ましい。制御部による制御手段としては、本体１へのクーラント液の流入量を制限する手段であれば、特に制限されない。例えば、本体１に流入するクーラント液の流入量を調整する流入量調整手段により本体１への流入量を低下又は停止する制御手段や、本体１へのクーラント液の供給流路を分岐し、本体１へのクーラント液の供給を回避するための回避流路を設けて、切換え弁の操作によりクーラント液の流れを回避流路に切換える制御手段などが挙げられる。
なお、本発明のクーラント処理装置は、制御部による制御だけでなく、回転異常を検知した際に、作業員がポンプ等の流量を調整しても、回避流路への切換え弁を操作してもよい。
【００４０】
流入量調整手段とは、回転検知器１０により検知された回転異常に応じて、流量を制御するものである。例えば、回転検知器１０からのデータが制御部に入力され、そのデータに応じて、制御部から流量を調整する指令があるポンプ等が挙げられる。
【００４１】
制御部は、回転検知器から得られたデータを、２以上のデータ区分に区別し、各データ区分に応じた処理を実行することが好ましい。例えば、回転検知器から得られたデータを、回転が停止する回転異常が生じた場合のデータ区分（１）と、回転数が変動する回転異常が生じた場合のデータ区分（２）に分け、各データ区分に応じた処理を実行する。上記データ区分（１）に応じた処理としては、例えば、流入量調整手段により本体１へのクーラント液の流入を停止する処理、供給流路の切換え弁を切換えてクーラント液を回避流路に回避する処理等が挙げられる。また上記データ区分（２）に応じた処理としては、例えば、流入量調整手段により本体１へのクーラント液の流入量を低下する処理等が挙げられる。
【００４２】
図４は、本発明の第一の実施態様のクーラント処理装置の制御部の制御の一例を説明するフローチャート図である。図４に示すように、初めにクーラント処理装置１００の運転を開始する（Ｓｔｅｐ１）。次に、回転検知器１０により絞りローラ８の回転を検知することにより、間接的に回転ドラム２の回転を監視する（Ｓｔｅｐ２）。制御部には、データ区分（１）として、回転ドラム２の回転が停止する場合のデータと、データ区分（２）として、回転ドラム２の回転数が変動する回転異常が生じる場合のデータが記憶されている。回転検知器１０によるデータがデータ区分（１）に該当するかどうかを判断し（ｉｆ１）、データ区分（１）に該当する場合は、供給流路に設置したポンプを停止し、本体１へのクーラント液の供給を停止する（Ｓｔｅｐ３）。次いで、警報を開始する（Ｓｔｅｐ４）。警報は、アラーム音やアラーム画面表示等により実施する。一方、回転検知器１０によるデータがデータ区分（１）に該当しない場合は、データ区分（２）に該当するかどうかを判断する（ｉｆ２）。データ区分（２）に該当する場合には、供給流路に設置したポンプによる本体へのクーラント液の供給量を低下し（Ｓｔｅｐ５）、次いで、警報を開始する（Ｓｔｅｐ６）。データ区分（２）に該当しない場合には、回転異常を監視しつづける。この制御により、回転ドラム２の回転異常に直ちに気づき、クーラント液のオーバーフロー等の問題の発生を未然に防ぐことができる。
【００４３】
警報やアラーム画面表示は、クーラント処理装置にて実施してもよいし、クーラント処理装置から離れて設置されている制御部（室）にて実施してもよい。作業員による制御では、作業員は常時制御部を監視していることから、アラーム画面表示は制御部に表示することが好ましい。また、アラーム画面表示を制御部に表示することにより、制御部からポンプの操作を直ちに行うこともできる。
【００４４】
［クーラント液処理システム］
図５は、本発明の第一の実施態様のクーラント処理装置１００を備えたクーラント液処理システム２００及び工作機械３００の全体構成を示す。なお、工作機械３００は、クーラント液を使用する研削盤や切削機等の金属切削加工機械であり、大小様々な切粉等の粒子が発生するものである。
【００４５】
本発明のクーラント液処理システム２００は、工作機械３００から排出された使用済みクーラント液から磁性スラッジを沈降分離するスラッジコンベア１６と、スラッジコンベア１６の上清から磁性スラッジを磁気分離するクーラント処理装置１００と、クーラント処理装置１００の処理液を貯留するダーティー液槽１２と、ダーティー液槽１２に貯留された処理液から磁性スラッジをフィルタ等でろ過するためのろ過装置１５と、ろ過装置１５でろ過されたろ液を貯留するクリーン槽１１を備えている。そして、クリーン槽１１に貯留されたろ液を工作機械３００のクーラント液として再利用する。
【００４６】
スラッジコンベア１６は、貯留槽の底部に沈降したスラッジを掻き寄せて除去する装置である。工作機械３００から排出された使用済みクーラント液は、流路Ｌ２を介してスラッジコンベア１６に供給され、沈降分離により沈降した磁性スラッジが除去される。スラッジコンベア１６の上清は、供給流路Ｌ３を介してポンプＰ３により本発明のクーラント処理装置１００の本体１に供給される。クーラント処理装置１００における磁気分離処理は上述したとおりである。
【００４７】
クーラント処理装置１００で処理された処理液は、流路Ｌ４を介してダーティー液槽１２に供給される。ダーティー液槽１２に貯留された処理液は、流路Ｌ５を介してポンプＰ２によりろ過装置１５に供給されて、磁性スラッジが除去される。ろ過装置１５によりろ過処理されたろ液は、流路Ｌ６を介してクリーン液槽１１に供給される。
【００４８】
また、クリーン液槽１１とダーティー液槽１２は、一つの処理槽に区画壁１３を設けることにより形成されている。更には、区画壁１３の上部には開口１４が形成され、クリーン液槽１１とダーティー液槽１２が上部空間において連通している。なお、クリーン液槽１１とダーティー液槽１２は、別槽で形成してもよく、その場合には、配管等によりクリーン液槽１１とダーティー液槽１２の上部空間を連通すればよい。クリーン液槽１１とダーティー液槽１２の上部空間を連通することにより、クリーン液槽１１のろ液が溢流として、ダーティー液槽１２に流れ込むことができるため、ろ過装置１５でろ過処理される処理量を、工作機械３００に供給されるクーラント液の量よりも大きくなるように設定する。これにより、クリーン液槽１１の液面が低下して、工作機械３００へのクーラント液の供給が停止するというトラブルを防止することができる。
【００４９】
なお、上記実施態様のクーラント液処理システム２００は、スラッジを除去するための装置として、スラッジコンベア１６、本発明のクーラント処理装置１００、ろ過装置１５を具備するが、クーラント液として再利用できる程度に磁性スラッジを除去することができればよい。これ以外にも、例えば、遠心力によりスラッジを分離除去するサイクロン分離機等を組み合わせてもよい。
【００５０】
次に、本発明のクーラント処理装置１００において、回転検知器１０により回転ドラム２の回転異常を検知した場合に、クーラント液がオーバーフローする等の問題を生じないように制御する方法を説明する。クーラント液処理システム２００において、供給流路Ｌ３は、切換え弁Ｖ１を介して分岐され、本体１へのクーラント液の供給を回避するための回避流路Ｌ７を備えている。また、回避流路Ｌ７は、ダーティー槽１２に連結している。
【００５１】
回転検知器１０により回転ドラム２の回転異常を検知すると、切換え弁Ｖ１が作動して、クーラント液の流れは、供給流路Ｌ３から回避流路Ｌ７へと切り換わる。そして、クーラント液は、ダーティー槽１２に供給されて、ろ過装置１５によりろ過処理される。これにより、クーラント処理装置１００へのクーラント液の供給が停止するため、オーバーフロー等のトラブルの発生を防止することができる。そして、クーラント処理装置１００へのクーラント液の供給が停止している間に、回転ドラム２の異常を調査し、修理することができる。なお、回避流路Ｌ７の使用中、ろ過装置１５の負荷が一時的に大きくなるが、逆洗等の洗浄処理の頻度を高めることにより対応すればよい。
【００５２】
〔第二の実施態様〕
図６は、本発明の第二の実施態様のクーラント処理装置１０１の内部の構造を示す。第二の実施態様のクーラント処理装置１０１は、間接的に回転ドラム２の回転異常を検知するために、従動回転体１７を備えている。
【００５３】
図７に示すように、従動回転体１７は、本体１の天面に設置された支持体１９に軸支されている。従動回転体１７は、従動回転体軸１７ａとその周囲に固定された従動回転体側スプロケット１７ｂを備え、従動回転体軸１７ａの端部に回転子１０ｂが固定されている。従動回転体側スプロケット１７ｂは、チェーン１８を介して回転ドラム２の従動スプロケットと連結しており、従動回転体１７は、回転ドラム２の回転と同期して回転する。
従動回転体１７を設けることにより、絞りローラ等を有しないクーラント処理装置であっても、回転検知器１０をクーラント液による汚染の恐れのない位置に設置することができる。
【産業上の利用可能性】
【００５４】
本発明のクーラント処理装置は、磁性金属を被切削材とする金属切削加工機械や、磁性金属を被研磨材とする金属研磨加工機械等におけるクーラント液から磁性体を回収するために利用する。クーラント液としては、油性、水溶性を問わず利用することができる。
【符号の説明】
【００５５】
１００，１０１…クーラント処理装置、１…本体、１ａ…底板、１ｂ…液溜め部、１ｃ…台座、１ｄ…側壁、２…回転ドラム、２ａ…内筒、２ｂ…外筒、２ｃ…ドラム軸、２ｄ…軸受、２ｅ…従動スプロケット、２ｆ…端円盤、３…磁石、４…モータ、５…流入部、６ａ…処理液排出部、６ｂ…磁性体排出部、７…スクレーパ、８…絞りローラ、８ａ…ローラ軸、８ｂ…ローラ側スプロケット、８ｃ…ローラ本体、９…整流壁、１０…回転検知器、１０ａ…近接スイッチ、１０ｂ…回転子、１１…クリーン液槽、１２…ダーティー液槽、１３…区画壁、１４…開口、１５…ろ過装置、１６…スラッジコンベア、１７…従動回転体、１７ａ…従動回転体軸、１７ｂ…従動回転体側スプロケット、１８…チェーン、１９…支持体、２００…クーラント液処理システム、Ｌ１，Ｌ２，Ｌ４〜Ｌ６…流路、Ｌ３…供給流路、Ｌ７…回避流路、Ｐ１〜Ｐ３…ポンプ、Ｖ１…切換え弁、Ｓ…磁性スラッジ
【図１】
2019073662.tif 000003
【図２】
2019073662.tif 000004
【図３】
2019073662.tif 000005
【図４】
2019073662.tif 000006
【図５】
2019073662.tif 000007
【図６】
2019073662.tif 000008
【図７】
2019073662.tif 000009
【国際調査報告】
2019073662.tif 000010
2019073662.tif 000011
2019073662.tif 000012
2019073662.tif 000013